(57)【要約】      （修正有）【課題】水平棒体と垂直棒体の交わる出隅部分のコーナー部分に傾斜角の加工を必要としない型枠用コーナー面取りを提供する。【解決手段】水平棒体５と水平棒体６と垂直棒体７の交差部の間に型枠用コーナー面取り１にピン４を一体化した型枠用コーナー面取りを垂直棒体７に装置し出隅部分のコーナー部分に凹を形成してＹ面を形成する。この型枠用コーナー面取り１は、プラスチック材又は金属材にて形成される。【選択図】図４
0003189496.tif 000002
【実用新案登録請求の範囲】
【請求項１】
コンクリート構造物の出隅が交わるコーナー部分に配設される面取りのコーナー面取において、
水平に交わる出隅に配設する水平棒体５と水平棒体６と垂直棒体７の交差部の間にできるすき間に型枠用コーナー面取り１に凹２を形成したことを特徴とする型枠用コーナー面取り。
【請求項２】
前記型枠用コーナー面取りはプラスチック材又は金属材にて形成された請求項１記載の型枠用コーナー面取り。
【請求項３】
前記型枠用コーナー面取り１はピン４と面取りが一体形成され、取付を簡単に行なえるようにした。請求項１又は請求項２の型枠用コーナー面取り。
【考案の詳細な説明】
【技術分野】
【０００１】  本校案は、コンクリート構造物を製造する際に使用するコーナー面取りに係り、特にコンクリート構造物の出隅の形状を整えるために用いるコーナー面取りに関する。
【背景技術】
【０００２】  コンクリート構造物は、所定形状に組み合せた型枠の内部にコンクリートを打設して形成する。このとき、形成されたコンクリート構造物の出隅は、強度が低下して破損し易い状態になるため、従来では、型枠の出隅部分に面木と称する断面三角形状や断面Ｒ形状の部材を装置し、コンクリート構造物の出隅部分に面取りを形成する工法が行われている。【０００３】  更に、出隅が交わるコーナー部分では、断面三角形状又は断面Ｒ形状の面木を三方向から付き合せる加工が必要になる。この場合、面木を付き合せるために、面木の各端部に一定の傾斜角を加工し、この傾斜角が一致するように成形する必要がある。このような端部の加工は熟練した技術を要するため初心者には極めて困難な作業になっていた。【０００４】  ここで、このような加工をするため、特許文献１に記載のコーナー面木が提案されている。この面木によると、互いに水平方向で交わる２つの出隅部分と、この出隅部分と垂直に交わる垂直方向の出隅部分とで形成されるコーナーに配置する三本の面木を合成樹脂製の成形用材で一体的に形成したものである。
【先行技術文献】
【特許文献】
【０００５】
【特許文献１】実開平３−８９８３９号公報
【考案の概要】
【考案が解決しようとする課題】
【０００６】  ところが、従来の面取り工法は、出隅部分に傾斜角の加工をしなければならない。特許文献１に記載のコーナー面木では、三方向が一体形成しているため従来の施工方法と違うために、寸法出しが困難な作業になっていた。【０００７】  そこで、本考案は、上述の課題を解決すべく案出されたもので、コーナー出隅部分の面取りの提供を目的とする。
【課題を解決するための手段】
【０００８】  上述の目的を達成すべく本考案における第１の手段は、コンクリート構造物Ｄの出隅Ｄ１が交わる部分Ｄ２に配設されるコーナー面取りにおいて、出隅Ｙを構築する際に水平棒体５と水平棒体６と垂直棒体７の交わる部分に傾斜角の加工を必要としない型枠用コーナー面取１に面形成凹部２を形成したことにある。【０００９】  第２の手段において、前記型枠用コーナー面取り１はプラスチック材又は金属材にて形成され型枠用コーナー面取り１に凹２を形成したものである。【００１０】  第３の手段として、型枠用コーナー面取り１に断面図２にしめす用にピン（針）４を一体形成し押しピンの用に垂直棒体に装置し面取りを容易にしたものである。【００１１】  面木と称する、出隅部分の図３にしめすように水平棒体５と水平棒体６のＡ，Ｂの各端部の傾斜角の加工が必要なくなり図４にしめすように型枠用コーナー面取り１を垂直棒体７に装置して簡単にコーナー面取りができるようにした。又従来の施工の用に寸法出しが容易であるため、作業性、生産の向上に利便がある。【００１２】  又型枠用コーナー面取り１をコーナー面だけの単体にしたことにより扱いが容易であり、小さなケース等に入れて持ち運びができ、型枠用コーナー面取り１したことにより安価な提供が可能になる。
【図面の簡単な説明】
【００１３】
【図１】本考案の正面図である。
【図２】本考案の断面図である。
【図３】従来施工方法の実施例を示す斜視図である。
【図４】本考案の組み方の実施例を示す斜視図である。
【図５】本考案の一実施例を示す斜視図である。
【図６】コンクリート構造物の出隅とコーナー部分とを示す斜視図である。
【図７】本考案の使用状態を示す斜視図である。
【考案を実施するための形態】
【００１４】  本考案によると、出隅が交わるコーナー部分の傾斜角の加工が必要なくなり簡単に出隅部分のコーナー面取りに成功した。
【００１５】  以下、本考案の実施例を説明する。本考案はコンクリート構造物Ｄを構築する際に型枠１０の内側に装置された垂直棒体７に型枠用コーナー面取り１を装置する。図６に示すようなコンクリート構造物Ｄの出隅Ｄ１や出隅Ｄ１が交わるコーナー部分Ｄ２に配設することで型枠１０除去後に、出隅Ｄ２のコーナー部分にＹの面取を形成するものである。
【００１６】  本考案の基本構成は、独立した水平棒体５と水平棒体６と垂直棒体７の交わる部分に型枠用コーナー面取り１を形成した。この型枠用コーナー面取りは、材質はプラスチック等の合成樹脂材やアルミニウム等の金属材にて、形成されるものである。（図１参照）
【００１７】  本考案を使用する際は、型枠１０に装置された垂直棒体７に型枠用コーナー面取り１を装置し、固定する。（図７参照）そして水平棒体５と水平棒体６に開放端部に同形状の面木を連続するように固定する。そして型枠１０の内側にコンクリートを打設し、コンクリート硬化後、型枠１０を外すと、出隅のコーナー部分の面にＹ（図６参照）の面取りが形成される。
【００１８】  図４に示す実施例は、水平棒体５と水平棒体６と垂直棒体７との交差部分に型枠用コーナー面取り１に面形成凹２を形成したもので、水平棒体５と水平棒体６と垂直棒体７は、断面三角形状をなした棒体を使用している。この実施例によると、コーナー部分Ｄ２は面形成凹部２にて形成したもので（図１参照）従来どおり出隅のコーナー面取りＹの形状を成すものである。
【産業上の利用可能性】
【００１９】  本考案の型枠用コーナー面取り１は、図示例に限定されるものでなく、型枠用コーナー面取り１の材質や寸法、形状等の変更は、本考案の要旨を変更しない範囲で任意に変更する事ができる。
【符号の説明】
【００２０】    Ｄ    コンクリート構造物
Ｄ１  出隅
Ｄ２  コーナー部分
Ｙ    面取り部分
１    型枠用コーナー面取り
２    面形成凹部
３    水平棒体接続部分
４    ピン（針）
５    水平棒体
６    水平棒体
７    垂直棒体
１０  型枠材
２０  面木
【図１】
0003189496.tif 000003
【図２】
0003189496.tif 000004
【図３】
0003189496.tif 000005
【図４】
0003189496.tif 000006
【図５】
0003189496.tif 000007
【図６】
0003189496.tif 000008
【図７】
0003189496.tif 000009
【手続補正書】
【提出日】平成25年11月29日(2013.11.29)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物の出隅が交わるコーナー部分に配設される面取りのコーナー面取りにおいて、
水平に交わる出隅に配設する、水平棒体（５）水平棒体（６）垂直棒体（７）の交差部の間にできる、すき間に装置し、固定する型枠用コーナー面取りに、凹を形成したことを特徴とする型枠用コーナー面取り。
【請求項２】
前記型枠用コーナー面取りはプラスチック材又は金属材にて形成された請求項１記載の型枠用コーナー面取り。
【請求項３】
前記型枠用コーナー面取りは垂直棒体に対する装置面にピンが、一体形成され、取付けを簡単に行なえるようにした、請求項１又は請求項２の型枠用コーナー面取り。